(57)【要約】【課題】比較的施工が簡単で、ログ材を積層してなる外壁の沈下による影響を少なくすることができるログ壁構造およびそれに用いる沈下吸収金具を提供する。【解決手段】このログ壁構造１０は、ログ材２０が積層されてなるログ壁において、ログ材２０により形成された外壁１２と、ログ材２０の内面に内張り板材６０により形成された内壁１６との間に介装材５０が設けられ、内壁１６が介装材５０に固定され、介装材５０は、外壁１２とは沈下吸収金具７０により固定され、介装材５０は、沈下する外壁１２と内壁１６との長さに対応するために、垂直方向に延びる長さを備え、沈下吸収金具７０は、介装材５０に固定され、且つ、沈下する外壁１２に移動可能に固定されている。また、ログ壁構造に用いる沈下吸収金具７０は、内壁１６に固定される介装材５０に固定される領域と、沈下する外壁１２が移動することが可能なように、外壁１２に固定される領域とを備えている。【選択図】      図１
2004263508.tif 000002
【特許請求の範囲】
【請求項１】
ログ材が積層されてなるログ壁において、
前記ログ材により形成された外壁と、前記ログ材の内面に内張り板材により形成された内壁との間に介装材が設けられ、
前記内壁が介装材に固定され、
前記介装材は、前記外壁とは沈下吸収金具により固定され、
前記介装材は、沈下する外壁と内壁との長さに対応するために、垂直方向に延びる長さを備え、
前記沈下吸収金具は、介装材に固定され、且つ、沈下する外壁に移動可能に固定された、ログ壁構造。
【請求項２】
前記介装材は、沈下する外壁と内壁との間に外壁の沈下を吸収するセトリングスペースを設けるための厚さを備えた、請求項１に記載のログ壁構造。
【請求項３】
前記介装材は、沈下吸収金具の介装材が固定されるための厚さを備えた、請求項１または２に記載のログ壁構造。
【請求項４】
ログ壁構造に用いる沈下吸収金具は、
内壁に固定される介装材に固定される領域と、
沈下する外壁が移動することが可能なように、外壁に固定される領域とを備えた、ログ壁構造に用いる沈下吸収金具。
【請求項５】
ログ壁構造に用いる沈下吸収金具は、
内壁に固定される介装材に固定される第１板状部と、沈下する外壁が移動することが可能なように外壁に固定される第２板状部とを備え、
前記第１板状部は、外壁の内面と直交する介装材の表面に接合される面が形成され、
前記第２板状部は、外壁の内面と接合される面が形成され、
第１板状部と第２板状部とが直交して連結された、請求項４に記載のログ壁構造に用いる沈下吸収金具。
【請求項６】
前記第２板状部は、外壁に固定する固定具を緩挿する長孔が形成され、
前記長孔は、外壁の沈下方向に延びるように形成された、請求項４または５に記載のログ壁構造に用いる沈下吸収金具。
【発明の詳細な説明】
【０００１】
【発明の属する技術分野】
この発明は、ログハウスの壁面を構成するログ壁構造およびログ壁構造に用いる沈下吸収金具に関する。
【０００２】
【従来の技術】
現在、ログハウスの壁面を構成するログ壁は、土台より上方に数段積層されたログ材の全段を通しボルトにより緊締している。
ところが、従来別荘地等で用いられる短期滞在型住宅として建築されてきたログハウスは、現在永住型住宅として建築されるようになってきている。永住型住宅として建築されるログハウスは、ログハウスの壁面を構成するログ壁をログ材のみで構成すると、積層されたログ材の間の隙間を通る隙間風や横雨の漏れの問題が危惧される。
そこで、ログ材を積層してなる外壁の内面に内張りを施すことにより、前記した問題を解消することが考えられる。ところが、ログ材を積み重ね、組み立てをした場合、積み重ねられたログ材の自重とログ材の乾燥が進むに従って生じる収縮とによって、ログ材を積層してなる外壁が約３０〜４０ｍｍ沈下する可能性がある。一方、ログ材を積層してなる外壁の内面に形成された内壁は、収縮がほとんど生じず、建築時の状態を維持している。そのために、内壁は、ログ材を積層してなる外壁の沈下による影響を受けないようにする必要性がある。
【０００３】
【特許文献１】
特開２００１−１７３１２５号公報
【０００４】
【発明が解決しようとする課題】
特開２００１−１７３１２５号公報には、ログ壁を構成するログ材の太さ等が違い、それぞれ収縮量も違うので、それにも対応して経年変化に耐え、また堅固に組み立てることができる施工方法が提案されている。
しかしながら、この従来のログ壁構造においても、施工に用いる材料が多くなり、また、その構造も複雑であるため、材料のコストアップにつながり、施工にも時間がかかる問題点を有している。
【０００５】
それゆえに、この発明の主たる目的は、比較的施工が簡単で、ログ材を積層してなる外壁の沈下による影響を少なくすることができるログ壁構造およびそれに用いる沈下吸収金具を提供することである。
【０００６】
【課題を解決するための手段】
この発明の請求項１にかかるログ壁構造は、ログ材が積層されてなるログ壁において、ログ材により形成された外壁と、ログ材の内面に内張り板材により形成された内壁との間に介装材が設けられ、内壁が介装材に固定され、介装材は、外壁とは沈下吸収金具により固定され、介装材は、沈下する外壁と内壁との長さに対応するために、垂直方向に延びる長さを備え、沈下吸収金具は、介装材に固定され、且つ、沈下する外壁に移動可能に固定された、ログ壁構造である。
この発明の請求項２にかかるログ壁構造は、介装材は、沈下する外壁と内壁との間に外壁の沈下を吸収するセトリングスペースを設けるための厚さを備えた、請求項１に記載のログ壁構造である。
この発明の請求項３にかかるログ壁構造は、介装材は、沈下吸収金具の介装材が固定されるための厚さを備えた、請求項１または２に記載のログ壁構造である。
この発明の請求項４にかかるログ壁構造に用いる沈下吸収金具は、内壁に固定される介装材に固定される領域と、沈下する外壁が移動することが可能なように、外壁に固定される領域とを備えた、ログ壁構造に用いる沈下吸収金具である。
この発明の請求項５にかかるログ壁構造に用いる沈下吸収金具は、内壁に固定される介装材に固定される第１板状部と、沈下する外壁が移動することが可能なように外壁に固定される第２板状部とを備え、第１板状部は、外壁の内面と直交する介装材の表面に接合される面が形成され、第２板状部は、外壁の内面と接合される面が形成され、第１板状部と第２板状部とが直交して連結された、請求項４に記載のログ壁構造に用いる沈下吸収金具である。
この発明の請求項６にかかるログ壁構造に用いる沈下吸収金具は、第２板状部は、外壁に固定する固定具を緩挿する長孔が形成され、長孔は、外壁の沈下方向に延びるように形成された、請求項４または５に記載のログ壁構造に用いる沈下吸収金具である。
【０００７】
［作用・効果］
この発明の請求項１ないし３の発明によれば、ログ材に形成される外壁と、ログ材の内面に内張り板材により形成された内壁との間に介装材が設けられ、沈下吸収金具が、介装材に固定され、且つ沈下する外壁に移動可能に固定されているので、内壁の沈下が起こっても、介装材に固定された沈下吸収金具により、外壁の沈下分を吸収し、内壁に影響を与えることが少ない。
この発明の請求項４の発明によれば、沈下吸収金具が、内壁に固定される介装材に固定される領域と、沈下する外壁が移動することがないように外壁に固定される領域とを備え、その一方の領域が介装材に固定され、且つその他方の領域が沈下する外壁に移動可能に固定されているので、ログ材により形成された外壁が沈下しても、その沈下量を沈下吸収金具により吸収され、介装材に固定された内壁にほとんど影響を及ぼすことがない。
この発明の請求項５の発明によれば、沈下吸収金具が、内壁に固定される介装材に固定される第１板状部と、沈下する外壁が移動することがないように外壁に固定される第２板状部とを備え、その第１板状部が介装材に固定され、且つその第２板状部が沈下する外壁に移動可能に固定されているので、ログ材により形成された外壁が沈下しても、その沈下量を沈下吸収金具により吸収され、介装材に固定された内壁にほとんど影響を及ぼすことがない。
この発明の請求項６の発明によれば、ログ壁構造に用いる沈下吸収金具を構成する第２板状部には、外壁に固定する固定具を貫挿する長孔が形成され、前記長孔が外壁の沈下方向に延びるように形成されているので、外壁が沈下しても、第２板状部に形成された長孔の長さ分、外壁の沈下量を吸収し、第１板状部に固定された介装材および介装材に固定された内壁にほとんど影響を与えることがない。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態であるログ壁構造を示す一部を断面とした斜視図解図である。図２は、図１図示ログ壁構造の平面図解図である。図３は、この発明の一実施の形態であるログ壁構造に用いる沈下吸収金具の斜視図解図である。図４は、沈下吸収金具をログ材へ固定した状態を示す断面図解図である。図５は、ログ材を固定した状態を示す断面図解図である。図６は、ログ材の斜視図解図である。図７は、内壁に用いる内張り板材の斜視図解図である。
このログ壁構造１０は、ログハウスの壁面を構成するもので、ログ材２０が積層されてなる外壁１２を備える。
外壁１２と、前記ログ材２０の内面において内張り板材６０により形成された内壁１６との間において、介装材５０が設けられている。
【００１０】
外壁１２を構成するログ材２０は、断面略方形の天然木からなる柱状体で、その上面には、長手方向に向けて、サネ２２が凸設され、その下面には、ログ材２０が積層されたとき、下位にあるログ材２０のサネ２２と嵌合するサネ溝２４が長手方向に延びて形成されている。
このログ材２０は、下位にあるログ材２０のサネ２２と上位にあるログ材２０のサネ溝２４とを嵌合することにより、ログハウスの壁面の高さに対応した適宜な数を、土台１４より上方に向けて積層固定されて外壁１２を形成する。
ログ材２０は、積層されたログ材２０のすべてに渡って緊締するための緊締ボルト３０を貫挿するための貫通孔２６が形成されている。
ログ材２０が積層されたときは、土台１４にナット３４によって固定されて土台１４より上方に向けて突き出し設けられた緊締ボルト３０が、ログ材２０の胴部に形成された貫通孔２６に貫挿されて、該緊締ボルト３０の上端縁に形成されたネジ部３２にナット３４が螺着され、ログ材２０を固く連結される。
【００１１】
土台１４に固定された外壁１２の内側には、外壁１２の隙間からの風雨を防ぐために、合成樹脂製の防水シート４０が全面に貼られている。
【００１２】
防水シート４０の内側面には、天然木からなる断面方形の柱状材からなる介装材５０が添設されている。
該介装材５０には、内壁１６を構成する内張り板材６０が、介装材５０の長手方向内側の平面に、連続して固定されている。内張り板材６０は、図７に示すように、その上端縁には、その長手方向に沿って、サネ６２が凸設され、且つ内張り板材６０の下端縁には、その長手方向に沿って、サネ溝６４が凹設されている。
そして、下位にある内張り板材６０の上端縁のサネ６２を、上位にある内張り板材６０の下端縁のサネ溝６４に嵌合することにより隙間無く連結され、連結した状態で内張り板材６０の外側面において介装材５０の上下方向に固定される。
【００１３】
このように、介装材５０は、沈下する外壁１２とセトリングスペースを介して、外壁１２の内側に形成された内壁１６との間に外壁１２の沈下を吸収するセトリングスペースを設けるための厚さを備え、且つ沈下する外壁１２と該外壁１２の内側面に固定される内壁１６との長さに対応するために垂直方向に延びる長さを備える。
【００１４】
内張り板材６０が固定された介装材５０は、沈下吸収金具７０によって外壁１２を構成するログ材２０の内側面に固定される。
沈下吸収金具７０は、方形の金属板を略９０°の角度を有するＬ字型に折曲してなり、内壁１６に固定された介装材５０に固定される領域を構成する第１板状部７２と、沈下する外壁１２が移動することが可能なように、外壁１２に固定される領域たる第２板状部７４とを備える。
第１板状部７２は、外壁１２の内面と直交する介装材５０の表面に接合される平面が形成され、第２板状部７４は、外壁１２の内面と接合される平面が形成され、第１板状部７２と第２板状部７４とは、直交して連結されてなる。
第２板状部７４は、外壁１２に固定するビス等の固定具９０を緩挿する長孔７６が形成され、前記長孔７６は、外壁１２の沈下方向、すなわち、土台１４に向かう方向に延びるように形成されて、長穴７６の長さ分、外壁１２が沈下しても、その沈下量を吸収することができるように形成されている。
第１板状部７２には、介装材５０の表面に第２板状部７４を固定するためのビス等の固定具９０を挿入するための貫通孔７８が形成されている。
そして、長孔７６に緩挿された固定具９０は、固定具９０の頭部９０ａと第２板状部７４の内側面（平面）との間に若干の隙間が生じるように、ログ材２０に固定されている。
【００１５】
このように、沈下する外壁１２と移動しない内壁１６との間に、外壁１２の沈下を吸収するセトリングスペースが設けられ、内壁１６が固定された介装材５０と、沈下する外壁１２とが沈下吸収金具７０により固定されているので、外壁１２が沈下した場合、第２板状部７４に形成された長孔７６の長さ分、すなわち、外壁１２の沈下方向に延びるように形成された長孔７６の長さ分、外壁１２が沈下しても、その沈下量を吸収して、内壁１６には影響を及ぼすことがない。
【図面の簡単な説明】
【図１】この発明の一実施の形態であるログ壁構造を示す一部を断面とした斜視図解図である。
【図２】図１図示ログ壁構造の平面図解図である。
【図３】この発明の一実施の形態であるログ壁構造に用いる沈下吸収金具の斜視図解図である。
【図４】沈下吸収金具をログ材へ固定した状態を示す断面図解図である。
【図５】ログ材を固定した状態を示す断面図解図である。
【図６】ログ材の斜視図解図である。
【図７】内壁に用いる内張り板材の斜視図解図である。
【符号の説明】
１０  ログ壁構造
１２  外壁
１４  土台
１６  内壁
２０  ログ材
２２  サネ
２４  サネ溝
２６  貫通孔
３０  緊締ボルト
３２  ネジ部
３４  ナット
４０  防水シート
５０  介装材
６０  内張り板材
６２  サネ
６４  サネ溝
７０  沈下吸収金具
７２  第１板状部
７４  第２板状部
７６  長孔
７８  貫通孔
９０  固定具
９０ａ  頭部
【図１】
2004263508.tif 000003
【図２】
2004263508.tif 000004
【図３】
2004263508.tif 000005
【図４】
2004263508.tif 000006
【図５】
2004263508.tif 000007
【図６】
2004263508.tif 000008
【図７】
2004263508.tif 000009